(57)【要約】【課題】本発明は、従来に比してより高い娯楽性を有する画像照明装置及び画像照明プログラムを実現することができる。【解決手段】本発明は、液晶テレビジョン装置１では、表示部１６が有する画素ごとに発光される照明光及び背景光の色や照度を制御し、ユーザの操作に応じて様々な照明画面ＰＰを表示することにより、表示部１６の前側に配置された画像フィルム４を照明するようにする。【選択図】        図６
2008040111.tif 000002
【特許請求の範囲】
【請求項１】
画像を保持する画像保持部と、
ユーザの操作を入力する操作入力部と、
複数の画素を有し、上記画像の背面から上記画像を照明する発光面と、
上記操作入力部を介した上記ユーザの操作に応じて、上記画素ごとに発光される光の色や照度を制御する制御部と
を具えることを特徴とする画像照明装置。
【請求項２】
上記制御部は、
上記ユーザの操作に応じて上記発光面を複数の領域に分割し、上記領域ごとに異なる色や照度になるように上記発光部を制御する
ことを特徴とする請求項１に記載の画像照明装置。
【請求項３】
上記制御部は、
上記ユーザの操作に応じて上記発光面内で徐々に色や照度を変化させる
ことを特徴とする請求項１に記載の画像照明装置。
【請求項４】
上記制御部は、
上記ユーザの操作に応じた位置及びサイズで上記発光面を上記複数の領域に分割し、上記領域ごとに異なる色や照度になるように上記発光部を制御する
ことを特徴とする請求項１に記載の画像照明装置。
【請求項５】
上記画像保持部は、
透明な２枚の板状の部材で上記画像を挟んで保持する画像保持板と、上記発光面の周囲に設けられ、上記画像保持板を上記発光面の前側で保持することにより、上記画像を上記発光面の前側に配置させる画像配置部とからなる
ことを特徴とする請求項１に記載の画像照明装置。
【請求項６】
上記画像保持板は、
上記発光面における上記複数の領域に合わせて画像を配置させるための配置指示線が形成されている
ことを特徴とする請求項５に記載の画像照明装置。
【請求項７】
上記配置指示線は、
上記画像保持板が上記発光面の前側で保持されている状態において、上記発光面から発光される上記光を選択的に透過させる
ことを特徴とする請求項６に記載の画像照明装置。
【請求項８】
上記画像保持部は、
上記発光面の周囲に固定された第１のマグネットと、脱着可能な第２のマグネットとからなり、上記第１のマグネットと上記第２のマグネットとの間に上記画像の一部を挟んで保持することにより、上記画像を上記発光面の前側に配置させる
ことを特徴とする請求項１に記載の画像照明装置。
【請求項９】
上記画像照明装置は、
テレビジョン放送信号を受信するチューナ部と、
上記テレビジョン放送信号を復号して音声信号及び画像信号を生成する画像処理部と、
上記音声信号を出力するスピーカ部と
を具え、
上記画像信号を上記発光部によって出力する
ことを特徴とする請求項１に記載の画像照明装置。
【請求項１０】
複数の画素を有する発光面の前側に配置された画像を当該画像の背面から照明する画像照明プログラムにおいて、
ユーザの操作を入力する操作入力ステップと、
上記ユーザの操作に応じ、上記光の色や照度を上記画素ごとに制御して発光する発光ステップと
を具えることを特徴とする画像照明プログラム。
【発明の詳細な説明】
【技術分野】
【０００１】
本発明は、画像照明装置及び画像照明プログラムに関し、例えばテレビジョン装置として使用される画像照明装置に適用して好適なものである。
【背景技術】
【０００２】
従来、画像照明装置においては、当該画像照明装置の前面となる発光面の前側に画像がプリントされたフィルムを配置させると共に、当該発光面の後側に設置された白色灯でなる光源から発光することにより、発光面から照明光を発光させて画像を照明するようになされている。
【０００３】
この画像照明装置として、赤、緑、青でなる３色の光源を用いて照明光の色を変化させることにより、発光面の前側に配置された画像全体のイメージを変化させて娯楽性を持たせるようになされたものがある（例えば、特許文献１参照）。
【特許文献１】特開平９−１７１３６１号公報
【発明の開示】
【発明が解決しようとする課題】
【０００４】
ところで、かかる構成の画像照明装置においては、光源のオン／オフのみによって上述した照明光の色を変化させるため、画像照明装置の発光面内で一律に照明光の色及び照度を変化させることしかできない。
【０００５】
すなわち、この画像照明装置では、単一の透過光のみを発光するだけであるため、画像のイメージ変化のバリエーションが限定されており、娯楽性が低いという問題があった。
【０００６】
本発明は以上の点を考慮してなされたもので、従来に比してより高い娯楽性を有する画像照明装置及び画像照明プログラムを提案しようとするものである。
【課題を解決するための手段】
【０００７】
かかる課題を解決するため本発明においては、複数の画素を有する発光面と、ユーザの操作を入力する操作入力部と、発光面の前側に配置された画像を保持する画像保持部と、入力部を介したユーザの操作に応じて、画素ごとに発光される光の色や照度を制御する制御部とを設けるようにした。
【０００８】
これにより、発光面内で光の色や照度を変化させることができるため、画像のイメージ変化のバリエーションを増大させることができる。
【０００９】
複数の画素を有する発光面の前面に配置された画像を照明する画像照明プログラムにおいて、ユーザの操作を入力する操作入力ステップと、ユーザの操作に応じ、光の色や照度を画素ごとに制御して発光する発光ステップとを設けるようにした。
【００１０】
これにより、発光面内で光の色や照度を変化させることができるため、画像のイメージ変化のバリエーションを増大させることができる。
【発明の効果】
【００１１】
本発明によれば、発光面内で光の色や照度を変化させることができるため、画像のイメージ変化のバリエーションを増大させることができ、かくして、従来に比してより高い娯楽性を有する画像照明装置及び画像照明プログラムを実現できる。
【発明を実施するための最良の形態】
【００１２】
以下、図面について、本発明の一実施の形態を詳述する。
【００１３】
（１）液晶テレビジョン装置の構成
図１において、１は全体として液晶テレビジョン装置の内部構成を示しており、ＣＰＵ(Central Processing Unit)と、照明画面表示プログラムなどの各種プログラムが格納されるＲＯＭ(Read Only Memory)と、当該ＣＰＵのワークメモリとしてのＲＡＭ(Random Access Memory)とからなる制御部１１によって全体が統括制御され、バス１２を介して接続された各部を制御する。
【００１４】
本実施の形態において、液晶テレビジョン装置１は、テレビジョン放送信号を受信してテレビジョン放送番組をユーザに視聴させるテレビジョンモードと、上述した画像照明装置として液晶テレビジョン装置１の前側に配置された画像を照明する画像照明モードとの２つの機能モードを有しており、操作入力部１３を介したユーザの操作に応じて機能モードを切り替えるようになされている。
【００１５】
すなわち、制御部１１は、操作入力部１３を介してユーザからテレビジョン放送番組を視聴する旨の要求がなされると、機能モードをテレビジョンモードに遷移し、チューナ部１４によってテレビジョン放送信号を受信させる。チューナ部１４は、受信したテレビジョン放送信号を放送データとして復号し、ＭＰＥＧデコーダなどからなる画像処理部１５へ送出する。
【００１６】
画像処理部１５は、放送データをデコード処理し、画像データ及び音声データとして表示部１６及びスピーカ部１７にそれぞれ送出する。この結果、ユーザは表示部１６及びスピーカ部１７から出力されるテレビジョン放送番組を視聴するようになされている。
【００１７】
また、操作入力部１３を介してユーザからテレビジョン放送番組以外の画面（各種設定画面や後述するメニュー画面など）を表示する旨の要求があった場合、制御部１１は、ＲＯＭ又はフラッシュメモリなどでなるメモリ部１８から対応する画像データを読み出すと、画像処理部１５によって当該画像データをデコード処理し、表示部１６へ送出する。この結果、ユーザは表示部１６に出力される画面を視認する事ができる。
【００１８】
（２）画像照明モード
次に、画像照明モードについて説明する。この画像照明モードでは、図２（Ａ）に示すように、液晶テレビジョン装置１の前側に例えば透過性のＯＨＰ（OverHead Projector）フィルムなどに画像がプリントされた画像フィルム４が配置される。
【００１９】
すなわち、この液晶テレビジョン装置１では、図２（Ｂ）に示すように、その前面にある表示部１６の周囲を囲むように、外枠１Ａの上辺を除く３辺に画像保持レール３Ａが設けられている。この画像保持レール３Ａには、当該画像保持レール３Ａより僅かに小さく形成された透明な画像保持板３Ｂが挿入される。
【００２０】
この画像保持板３Ｂは、図３に示すように、支持板３Ｂａとカバーフィルム３Ｂｂとがその上辺３Ｂｃで接着されることにより構成されている。支持板３Ｂａは、画像保持レール３Ａに対してスムーズに挿入できるように、剛性を有する材質で形成されている。また、カバーフィルム３Ｂｂは取り扱い易いように柔軟な材質でなる。
【００２１】
画像保持板３Ｂでは、カバーフィルム３Ｂｂをめくった状態で画像フィルム４が支持板３Ｂａの任意の位置に配置された後、カバーフィルム３Ｂｂが支持板３Ｂａに密着されることにより、画像フィルム４が狭持される。さらにこの画像保持板３Ｂが画像保持レール３Ａに挿入されることにより、液晶テレビジョン装置１の発光面となる表示部１６の前側に画像フィルム４が配置される。
【００２２】
そして画像フィルム４の背面にある表示部１６に所定の画像データに基づく照明画面を表示することにより、表示部１６から発光される光を画像フィルム４への照明光として利用して、画像フィルム４を照明するようになされている。
【００２３】
ところで、液晶テレビジョン装置１の表示部１６は、数十万個以上の画素を有しており、各画素ごとに発光される光の色や照度を変化させることができる。
【００２４】
そこで本実施の形態における液晶テレビジョン装置１は、画像照明装置として使用される画像照明モードにおいても、ユーザの操作に応じて表示部１６から発光される照明光の照度や色を画素ごとに変化させるようになされている。
【００２５】
具体的に、液晶テレビジョン装置１の制御部１１は、操作入力部１３としての図示しないリモートコントローラを介してユーザから画像を照明する旨の要求がなされたことを認識すると、機能モードを画像照明モードに遷移し、図４に示すように、表示部１６にメニュー画面ＭＮを表示する。
【００２６】
ここで制御部１１は、画像照明モードにおいて、詳しくは後述するが、単一色モードと、グラデーションモードと、画面分割モードと、フリーモードとの合計４つの表示モードを有している。
【００２７】
制御部１１は、まずこの４つの表示モードを表す４つの表示モード選択子及び確定ボタンＢＤをメニュー画面ＭＮに表示すると共に、４つの表示モード選択子のうち、一番上に表示されている単一色モード選択子にカーソルを配置し、カーソルが配置された単一色モード選択子の周囲の色を他の表示モード選択子の周囲の色から変化させて表示する。そして制御部１１は、リモートコントローラの上下ボタンがユーザによって操作されたことを認識すると、操作に応じてカーソルの位置を上下に移動させる。
【００２８】
そして制御部１１は、一つの表示モード選択子にカーソルが配置された状態でリモートコントローラの選択ボタンがユーザによって操作されたことにより、一つの表示モードが選択されると、選択された表示モードについての設定項目画面（図示しない）を表示する。
【００２９】
この設定項目画面では、例えば図５及び図７に示すような、表示部１６に表示される照明画面ＰＰの色や照度など、照明画面ＰＰについての詳細な表示条件をユーザに設定させることができる。
【００３０】
制御部１１は、設定項目画面における設定が終了すると、タイマー設定画面（図示しない）を表示し、照明画面ＰＰの表示開始時刻、表示終了時刻若しくは表示終了までの時間などをタイマーとして設定させる。これにより、制御部１１は、時刻又は時間に応じて照明画面ＰＰの表示をＯＮ／ＯＦＦしたりすることができるため、ユーザの起床時間や就寝時間に合わせて自動的に表示の終了及び開始を実行することができる。
【００３１】
そして制御部１１は、タイマーの設定が終了すると、メニュー画面ＭＮの右下に表示された確定ボタンＢＤにカーソルが配置された状態で、再度メニュー画面ＭＮを表示する。制御部１１は、ユーザによってリモートコントローラの上下ボタンが操作されると、４つの表示モード及び確定ボタンＢＤに対して順にカーソルを移動させる。
【００３２】
制御部１１は、表示モードにカーソルが配置された状態でリモートコントローラの選択ボタンが操作されたことを認識すると、再度設定項目画面を表示し、ユーザに表示条件の設定を継続させる。
【００３３】
これに対して、確定ボタンＢＤにカーソルが配置された状態でユーザによってリモートコントローラの選択ボタンが操作されたことを認識すると、制御部１１は、設定されたモード及び表示条件でなる画像データを生成し、この画像データに基づく照明画面ＰＰを表示部１６に表示する。
【００３４】
すなわち、ユーザによって単一色モードが選定された場合、制御部１１は、表示部１６に表示可能な色のうち、ユーザによって設定された表示条件による任意の１色を、ユーザによって設定された表示条件による任意の照度で照明画面ＰＰとして表示する。
【００３５】
これにより、制御部１１は、ユーザによって設定された表示条件に従って、ユーザの好みに応じた照明光の色及び照度でなる単一色の照明画面ＰＰを表示部１６に表示することができる。
【００３６】
さらに、制御部１１は、設定項目画面において照明画面ＰＰの色及び照度を変化させる時間間隔を表示条件として設定させることにより、照明画面ＰＰの色及び照度を任意の時間間隔で周期的に変化させることもできる。例えば朝は明るい色で、夜は暗い色で照明画面ＰＰを表示するなどして、時刻に応じて照明画面ＰＰの色を変化させることができる。
【００３７】
これにより、制御部１１は、同一の画像フィルム４が配置されているにも拘わらず、照明光の色及び照度を変化させて画像フィルム４をユーザに視認させることができ、この画像フィルム４の雰囲気が変化したような印象をユーザに与えることができる。
【００３８】
一方、ユーザによってグラデーションモードが選定された場合、制御部１１は、表示条件に従って、例えば表示部１６の右端から左端まで徐々に色を変化させるようにして照明画面ＰＰを表示する。
【００３９】
このとき制御部１１は、照明画面ＰＰにおける照明光の色の変化によって、画像フィルム４の色彩を変化させることができ、画像フィルム４が本来有していない色や照度の変化をユーザに楽しませることができる。
【００４０】
さらに、ユーザによって画面分割モードが選定された場合、制御部１１は、表示条件に従って照明画面ＰＰを複数の表示領域に分割すると共に、当該表示領域ごとに色や照度を変化させて表示部１６に表示する。
【００４１】
例えば制御部１１は、図５に示すように、照明画面ＰＰを横方向に７分割し、虹のように７色の色を表示する。
【００４２】
このとき、例えば表示部１６の前面に同一の画像フィルム４が複数枚並べて配置されていれば、図６に示すように、制御部１１は、同じ画像にも拘わらず画像フィルム４ごとに画像に対する照明光の色を変化させることになり、あたかも異なる色彩の画像フィルム４が並べられているかのような印象をユーザに与えることができる。
【００４３】
また、制御部１１は、例えば図７（Ａ）に示すように照明画面ＰＰを縦方向に分割して表示したり、図７（Ｂ）に示すように一部の領域をくり抜くようにして照明画面ＰＰを分割して表示することができる。
【００４４】
なお、以下、画像フィルム４を照明する光を照明光、画像フィルム４が配置されていないため、透明な画像保持板３Ｂをそのまま通過する光を背景光と呼ぶ。
【００４５】
ここで、図８に示すように、くり抜かれた領域である画像領域Ａｐとその周囲でなる背景領域Ａｂとに分割されて表示された照明画面ＰＰに対して、この画像領域Ａｐに合わせるように画像フィルム４が配置されることにより、画像フィルム４が配置される画像領域Ａｐの照明光と、画像フィルム４が配置されない背景領域Ａｂの背景光とを異なる色及び照度で表示することができる。
【００４６】
言い換えると、液晶テレビジョン装置１を画像フィルム４に対する照明光と、その周囲部分となる背景光の色及び照度を自由に選択できるピクチャーフレームとして使用することができる。
【００４７】
例えば、制御部１１は、画像領域Ａｐを白色で表示することにより、画像フィルム４を鮮明に照明することができる。また、制御部１１は、画像領域Ａｐをセピア色で表示することにより、画像フィルム４があたかも古い写真のように照明することができる。このとき、画像領域Ａｐの照度を背景領域Ａｂより低くすることにより、画像フィルム４の画像を背景領域Ａｂより強調することが可能となる。
【００４８】
ここで、図９に示すように、画像保持板３Ｂにおける支持板３Ｂａ上には、画面分割モードにおいて照明画面ＰＰが分割される各領域に合わせて配置指示線ＳＬが形成されている。これにより、ユーザは配置指示線ＳＬに沿わせて画像フィルム４を配置するだけで、使用する照明画面ＰＰに合わせて画像フィルム４を容易に配置することができる。
【００４９】
ちなみに、表示部１６から発光される光（照明光及び背景光）は、液晶パネルを透過して発光されるため、偏光性を有している。配置指示線ＳＬは、表示部１６から発光される光が有する偏光方向の光を選択的に透過するように形成される。
【００５０】
これにより、画像保持板３Ｂに対して室内照明などの偏光性を有しない光が当たる状態においては、配置指示線ＳＬをユーザに視認させることができる一方、画像保持板３Ｂに対して表示部１６から発光される光が当たる状態において、この配置指示線ＳＬをユーザに視認させないようにできる。
【００５１】
また、ユーザによってフリーモードが選定された場合、制御部１１は、ユーザの操作に応じて照明画面ＰＰを複数の領域に分割して表示部１６に表示する。
【００５２】
ここで、液晶テレビジョン装置１は、表示部１６の前面に操作入力部１３としてのタッチパネルを有している。制御部１１は、図１０（Ａ）に示すように、ユーザによって任意の４点が指定されたことを認識すると、この４点を結んだ領域を指定領域Ａｓとして、照明画面ＰＰを指定領域Ａｓと他の領域（以下、これを指定外領域と呼ぶ）Ａｘとに分割した画像データを生成する。
【００５３】
このとき制御部１１は、指定領域Ａｓ及び指定外領域Ａｘが予め設定項目画面で表示条件として設定された色及び照度になるように画像データを生成し、当該画像データに基づく照明画面ＰＰを表示部１６に表示する。
【００５４】
これにより制御部１１は、ユーザが準備したあらゆるサイズの画像フィルム４、あるいは当該画像フィルム４内の画像に合わせた自由な位置及びサイズで、照明画面ＰＰを複数の領域に分割することができる。
【００５５】
このように液晶テレビジョン装置１は、画像照明モードにおいて、ユーザの操作に応じて４つの表示モードの中から一つの表示モード及び詳細な表示条件を設定させることにより、様々なバリエーションの照明画面ＰＰを表示部１６に表示させることができ、表示部１６の前側に配置された画像フィルム４を自在に照明して画像照明モードにおける娯楽性を向上させ得るようになされている。
【００５６】
（３）照明画面の表示処理手順
液晶テレビジョン装置１の制御部１１は、ユーザの操作入力部１３の操作によって画像を照明する旨の要求がユーザからなされたことを認識すると、照明画面の表示処理手順ＲＴ１を開始し、照明画面表示処理プログラムに従ってステップＳＰ１から処理を開始する。
【００５７】
ステップＳＰ１において、制御部１１は、メニュー画面ＭＮ(図４)を表示することにより、４つのモードのうち、１の表示モードをユーザに選択させると、次のステップＳＰ２へ移る。
【００５８】
ステップＳＰ２において、制御部１１は、設定項目画面を表示することにより、ユーザに照明画面ＰＰの各領域に対する色及び照度などの各種表示条件を選択させると、次のステップＳＰ３へ移る。
【００５９】
ステップＳＰ３において、制御部１１は、タイマー設定画面を表示することにより、ユーザにタイマー設定の有無、照明画面ＰＰを表示する時間、あるいは表示開始時刻及び表示終了時刻などを設定させると、次のステップＳＰ４へ移る。
【００６０】
ステップＳＰ４において、制御部１１は、ステップＳＰ１及びステップＳＰ２において選択された表示モード及び表示条件に従って画像データを生成し、この画像データに基づいて表示部１６に照明画面ＰＰを表示すると、次のステップＳＰ５へ移る。
【００６１】
ステップＳＰ５において、制御部１１は、タイマー設定による終了時刻もしくは操作入力部１３を介したユーザからの照明画面ＰＰの表示を終了する旨の終了指示を待ち受け、終了時刻又はユーザから終了指示がなされたことを認識すると、次のステップＳＰ６へ移り、必要に応じて選択された表示モード、表示条件、及びタイマー設定の条件をメモリ部１８に記憶し、処理を終了する。
【００６２】
（４）動作及び効果
以上の構成において、液晶テレビジョン装置１では、表示部１６が有する画素ごとに発光される照明光及び背景光の色や照度を制御し、ユーザの操作に応じて様々な照明画面ＰＰを表示することにより、表示部１６の前側に配置された画像フィルム４を当該画像フィルム４の背面から照明するようにした。
【００６３】
これにより、ユーザは、そのときの気分や画像フィルム４が有する画像に応じて、自由に照明光及び背景光の色や照度を変化させることができ、画像フィルム４のイメージを多様に変化させて画像フィルム４を存分に楽しむことができる。
【００６４】
さらに、液晶テレビジョン装置１では、テレビジョン放送を視聴するためのテレビジョン装置に対してかかる画像照明機能を付加したことにより、本来のテレビジョン放送番組を視聴するという目的で使用されていない状態においても、当該液晶テレビジョン装置１が有する表示機能を存分に活用してインテリアとして利用できる。
【００６５】
近年では、液晶テレビジョン装置１の大型化によって表示部１６の面積が増大しつつあり、部屋の中での存在感が大きくなっているため、液晶テレビジョン装置１をインテリアとして利用することにより、部屋全体の印象を変化させることができる。
【００６６】
以上の構成によれば、画像フィルム４に対する照明光を表示部１６が有する画素ごとに変化させることにより、画像のイメージ変化のバリエーションを増大させることができ、かくして従来に比してより高い娯楽性を有する画像照明装置及び画像照明プログラムを実現できる。
【００６７】
（５）他の実施の形態
なお上述の実施の形態においては、テレビジョン放送信号を受信する液晶テレビジョン装置１に画像照明装置としての機能を付加するようにした場合について述べたが、本発明はこれに限らず、テレビジョン放送信号の受信機能を持たない液晶モニタや各種ディスプレイを画像照明装置として使用するようにしても良い。
【００６８】
また上述の実施の形態においては、テレビジョン放送信号を受信する液晶テレビジョン装置１に画像照明装置としての機能を付加することにより、インテリアとして使用されるようにした場合について述べたが、本発明はこれに限らず、例えば図１２に示すように、駅の構内や屋外などで使用される広告看板用の画像照明装置として使用されるようにしても良い。
【００６９】
この場合、例えば画面分割モードにおいて、分割された各領域の色をネオンサインのように１秒などの短時間で変化させることにより、歩行者に対して広告看板の存在を強く印象付けることができる。
【００７０】
また、分割された各領域の色を数時間などの長時間の間隔で変化させることにより、広告看板の前を周期的に通過する歩行者に対して、配置された画像の色があたかも変化したかのように感じさせることができる。
【００７１】
さらに上述の実施の形態においては、インテリアとして使用されるようにした場合について述べたが、本発明はこれに限らず、例えば図１３に示すように、レントゲン用フィルムやリバーサルフィルムなどをチェックする画像チェック用の画像照明装置として使用されるようにしても良い。
【００７２】
この場合、例えばフリーモードにおいて、指定領域Ａｓを白色に表示し、指定外領域Ａｘを黒色に表示することにより、指定領域Ａｓに配置された画像フィルム４を照明する一方、画像フィルム４の周囲部分を暗いままにすることができる。
【００７３】
これにより、従来の画像照明装置とは異なり、画像フィルム４の周囲部分が画像フィルム４の配置された部分よりも相対的に明るくなってしまうことを防止でき、明度の高い画像フィルム４の周囲部分によってユーザを眩惑させることなく、快適に画像フィルム４のチェックをさせることができる。
【００７４】
このとき、画像保持部としては、上述した画像保持レール３Ａ及び画像保持板３Ｂではなく、表示部１６の上方に画像保持用マグネット３Ｄａを固定するようにすることができる。これにより、ユーザはマグネット３Ｄａとマグネットバー３Ｄｂとの間に画像フィルム４を挟んで保持することにより、画像フィルム４を簡易に取り付け及び取り外すことができる。
【００７５】
さらに上述の実施の形態においては、フリーモードにおいて、表示部１６の前面にタッチパネルによってユーザに指定領域Ａｓを指定させるようにした場合について述べたが、本発明はこれに限らず、リモートコントローラの上下及び左右ボタンを用いて指定させるようにしても良い。
【００７６】
さらに上述の実施の形態においては、メニュー画面ＭＮによってユーザの要求を入力させるようにした場合について述べたが、本発明はこれに限らず、前回以前に画像照明装置としての機能が使用されたときの表示条件をメモリ部１８に記憶しておき、リモートコントローラの操作に応じて画像照明機能を使用する旨のユーザの要求がなされると、前回以前に設定された表示条件に従って照明画面ＰＰを表示部１６に表示するようにしても良い。
【００７７】
さらに上述の実施の形態においては、領域ごとに色又は照度を変化させることにより、画像フィルム４のイメージを変化させるようにした場合について述べたが、本発明はこれに限らず、画像フィルム４の濃淡に応じて色又は照度を変化させることにより、濃淡の差が大きい画像フィルム４の濃淡を小さく見せたり、画像フィルム４のムラを小さく見せるようにしても良い。これにより、従来の単一の照度になるように発光する画像照明装置と比較して、画像フィルム４を一段と美しく照明することができる。
【００７８】
さらに上述の実施の形態においては、透過性のフィルムに画像が印刷された画像フィルム４を配置するようにした場合について述べたが、本発明はこれに限らず、印画紙に現像された通常の写真を画像として配置するようにしても良い。この場合であっても、ユーザは周囲の色を自由に変化させることができ、あたかもピクチャーフレームを変えたかのように、写真の周囲の雰囲気を変化させて楽しむことができる。
【００７９】
さらに上述の実施の形態においては、画像フィルム４を狭持した画像保持板３Ｂを画像保持レール３Ａに挿入することによって画像フィルム４を保持するようにした場合について述べたが、本発明はこれに限らず、例えば図１４に示すように、画像保持部として表示部１６の周囲に画像保持用クリップ３Ｅを設け、当該画像保持用クリップ３Ｅで画像フィルム４を挟むことにより保持するようにしても良い。
【００８０】
さらに上述の実施の形態においては、画像保持板３Ｂを画像保持レール３Ａに挿入することによって画像保持板３Ｂを保持するようにした場合について述べたが、本発明はこれに限らず、例えば画像保持用クリップ３Ｅや、マグネットなどを使用して画像保持板３Ｂを保持するようにしても良い。
【００８１】
さらに上述の実施の形態においては、液晶テレビジョン装置１に画像照明装置としての機能を付加するようにした場合について述べたが、本発明はこれに限らず、プラズマ方式やリアプロ方式でなるテレビジョン装置に画像照明装置としての機能を付加するようにしても良い。
【００８２】
さらに上述の実施の形態においては、発光面としての表示部１６と、操作入力部としての操作入力部１３と、画像保持部としての画像保持レール３Ａ及び画像保持板３Ｂと、制御部としての制御部１１とによって画像照明装置としての液晶テレビジョン装置１を構成するようにした場合について述べたが、本発明はこれに限らず、その他種々の構成でなる発光面と、入力部と、画像保持部と、制御部とによって本発明の画像照明装置を構成するようにしても良い。
【産業上の利用可能性】
【００８３】
本発明の画像照明装置及び画像照明プログラムは、例えば液晶など種々の方式でなるモニタを有する各種電子機器に利用することができる。
【図面の簡単な説明】
【００８４】
【図１】液晶テレビジョン装置の内部構成を示す略線図である。
【図２】液晶テレビジョン装置の外観構成を示す略線図である。
【図３】画像保持板を示す略線図である。
【図４】メニュー画面を示す略線図である。
【図５】画像分割モードによる表示例（１）を示す略線図である。
【図６】画像分割モードによる画像の配置例（１）を示す略線図である。
【図７】画像分割モードによる表示例（２）を示す略線図である。
【図８】画像分割モードによる画像の配置例（２）を示す略線図である。
【図９】画像保持板における配置指示線の説明に供する略線図である。
【図１０】フリーモードの説明に供する略線図である。
【図１１】照明画面の表示処理手順の説明に供するフローチャートである。
【図１２】看板広告としての使用の説明に供する略線図である。
【図１３】画像チェック用途での使用の説明に供する略線図である。
【図１４】他の実施の形態による画像保持部を示す略線図である。
【符号の説明】
【００８５】
１……液晶テレビジョン装置、３Ａ……画像保持板、３Ｂ……画像保持レール、４……画像フィルム、１１……制御部、１３……入力部、１４……チューナ部、１５……画像処理部、１６……表示部、１７……スピーカ、１８……メモリ部、ＰＰ……照明画像、ＳＬ……配置指示線。
【図１】
2008040111.tif 000003
【図２】
2008040111.tif 000004
【図３】
2008040111.tif 000005
【図４】
2008040111.tif 000006
【図５】
2008040111.tif 000007
【図６】
2008040111.tif 000008
【図７】
2008040111.tif 000009
【図８】
2008040111.tif 000010
【図９】
2008040111.tif 000011
【図１０】
2008040111.tif 000012
【図１１】
2008040111.tif 000013
【図１２】
2008040111.tif 000014
【図１３】
2008040111.tif 000015
【図１４】
2008040111.tif 000016